【誤訳訂正書】
【提出日】平成22年5月25日(2010.5.25)
【誤訳訂正１】
【訂正対象書類名】特許請求の範囲
【訂正対象項目名】請求項１
【訂正方法】変更
【訂正の内容】
【請求項１】
一方で、雄ネジ（ＦＭ）を形成した第１部分（Ｐ１）、
並びに
前記第１部分から延び、
i）第１外側面（ＳＥ１）、
ii）第１軸方向当接面（ＳＢ１）と第１内側面（ＳＩ１）とを有し、その軸方向長さにわたって第１外側面（ＳＥ１）によって境界を定められる第１環状リップ（Ｌ１）、
及び、
iii）第２当接面（ＳＢ２）
からなる第２部分、
からなる第１管要素（ＥＭ）と、
他方で、
i）前記雄ネジ（ＦＭ）に合致し、そこにねじ込まれる雌ネジ（ＦＦ）、
ii）前記第２当接面（ＳＢ２）に対して静止する第３当接面（ＳＢ３）と、前記第１内側面（ＳＩ１）に対向して配列された第２外側面（ＳＥ２）と、第２内側面（ＳＩ２）と、を有する第２環状リップ（Ｌ２）、
iii）第４軸方向当接面（ＳＢ４）、
及び、
iv）前記第４軸方向当接面（ＳＢ４）と前記雌ネジ（ＦＦ）の間に延び、前記第２外側面（ＳＥ２）と第４当接面（ＳＢ４）と共に、前記第１リップ（Ｌ１）に合致する環状凹部（ＬＯ）を規定する第３内側面（ＳＩ３）、
からなる第２管要素（ＥＦ）と、
から構成され、
前記第２（ＳＢ２）及び第３（ＳＢ３）当接面は、長手方向（Ａ）へ横切る面に対して傾斜した略同一の角度を有する円錐形の表面であり、前記第２当接面（ＳＢ２）が前記第３当接面（ＳＢ３）に対して静止することを可能とするように選択され、
前記第２外側面（ＳＥ２）又は前記第３内側面（ＳＩ３）のそれぞれに対して前記第１リップ（Ｌ１）の前記第１内側（ＳＩ１）及び外側（ＳＥ１）面の一つを半径方向の第１シール干渉接触部とし、
その後実行された塑性変形領域で管継手が直径を拡張する間、前記第１外側面（ＳＥ１）及び前記第３内側面（ＳＩ３）は局部的に第２シール干渉接触部として規定されることを特徴とする継手。
【誤訳訂正２】
【訂正対象書類名】特許請求の範囲
【訂正対象項目名】請求項１４
【訂正方法】変更
【訂正の内容】
【請求項１４】
前記面取り部は、約８°と約１２°の間で長手方向Ａに対して略連続したスロープを有していることを特徴とする請求項１３に記載の継手。
【誤訳訂正３】
【訂正対象書類名】特許請求の範囲
【訂正対象項目名】請求項１５
【訂正方法】変更
【訂正の内容】
【請求項１５】
前記第１管要素（ＥＭ）は、当初、前記第１部分（Ｐ１）の方向に前記第２当接面（ＳＢ２）を延長する第４内側面（ＳＩ４）の範囲に選択された局部に環状の厚みを加えた部分（ＳＡ１）を有する第２部分（Ｐ２）を形成し、
前記第３内側面（ＳＩ３）は、選択された場所で、ネジ止め後に、略前記局部に環状の厚みを加えた部分（ＳＡ１）の範囲内に配列され、前記第１外側面（ＳＥ１）の範囲内に規定するのに適合した溝（Ｇ１）と、直径の拡張の間、少なくとも前記溝（Ｇ１）の形状の部分を有し、それに加えてシール干渉接触部にある環状肩部（ＥＰ）からなることを特徴とする請求項１乃至請求項１４のいずれか一つに記載の継手。
【誤訳訂正４】
【訂正対象書類名】特許請求の範囲
【訂正対象項目名】請求項１７
【訂正方法】変更
【訂正の内容】
【請求項１７】
前記の頸部は、当初、約２°と約２０°の間の長手方向Ａに対したスロープで略連続して増大することを特徴とする請求項１６に記載の継手。
【誤訳訂正５】
【訂正対象書類名】特許請求の範囲
【訂正対象項目名】請求項１９
【訂正方法】変更
【訂正の内容】
【請求項１９】
前記湾曲部分（Ｃ１、Ｃ２）は、当初、略同一の曲率半径を有することを特徴とする請求項１８に記載の継手。
【誤訳訂正６】
【訂正対象書類名】特許請求の範囲
【訂正対象項目名】請求項２１
【訂正方法】変更
【訂正の内容】
【請求項２１】
二つの湾曲部分（Ｃ１、Ｃ２）は、略円筒形の中央部分（ＰＣ）によって分けられることを特徴とする請求項１８乃至２０のいずれか一つに記載の継手。
【誤訳訂正７】
【訂正対象書類名】特許請求の範囲
【訂正対象項目名】請求項２２
【訂正方法】変更
【訂正の内容】
【請求項２２】
前記溝（Ｇ１）は、当初、溝（Ｇ１）の底部での材料断面積が前記第１（ＥＭ）及び第２（ＥＦ）管要素が結合される管（Ｔ１，Ｔ２）の共通部分の最小断面積と継手効率との積より大きくなるように選択される最大値を有する半径方向の深さ（Ｈ’）を持つことを特徴とする請求項１８乃至２１のいずれか１つに記載の継手。
【誤訳訂正８】
【訂正対象書類名】特許請求の範囲
【訂正対象項目名】請求項２５
【訂正方法】変更
【訂正の内容】
【請求項２５】
前記２管要素は、略対称的な雌/雌型接続スリーブ（Ｍ）と結合され、前記第１管要素（ＥＭ）は、グレートレングス管の端部と結合されることを特徴とする請求項１乃至２４のいずれか一つに記載の継手。
【誤訳訂正９】
【訂正対象書類名】特許請求の範囲
【訂正対象項目名】請求項２６
【訂正方法】変更
【訂正の内容】
【請求項２６】
前記スリーブ（Ｍ）は、二つの第２管要素（ＥＦ１，ＥＦ２）によって各側に延出され、当初、環状領域（Ｇ２）の範囲内で前記スリーブ（Ｍ）の当初断面積が、前記第１管要素（ＥＭ）の端部に形成された管（Ｔ１，Ｔ２）の共通部分の断面積と継手効率との積より大きく、又は等しくなるように選択される減少された厚みを有する前記環状領域（Ｇ２）の外側面を形成する中央部分（ＰＣＭ）からなることを特徴とする請求項２５に記載の継手。
【誤訳訂正１０】
【訂正対象書類名】特許請求の範囲
【訂正対象項目名】請求項３６
【訂正方法】変更
【訂正の内容】
【請求項３６】
請求項１乃至請求項３５のいずれか一つに記載の継手に基づいて、
−半径方向の前記第１シール干渉接触部を形成することによってシールする方法で、前記第２外側面（ＳＥ２）又は第３内側面（ＳＩ３）のそれぞれに対して第１リップ（Ｌ１）の前記第１内側面（ＳＩ１）及び前記第１外側面（ＳＥ１）の一つを半径方向に締めるように、前記第１リップ（Ｌ１）が前記環状凹部（ＬＯ）に結合され、そして前記第２当接面（ＳＢ２）が前記第３当接面（ＳＢ３）に対して静止するまで、前記第１管要素（ＥＭ）及び第２管要素（ＥＦ）をネジ止めすること、
そして、
−前記第１外側面（ＳＥ１）及び前記第３内側面（ＳＩ３）に、局部的に前記第２シール干渉接触部を規定させるように、軸方向に移動可能な拡張ツールによって、塑性変形領域での前記拡張可能な管継手の直径を拡張させること、
からなることを特徴とする継手を生産する方法
【誤訳訂正１１】
【訂正対象書類名】明細書
【訂正対象項目名】０００２
【訂正方法】変更
【訂正の内容】
【０００２】
これらの継手は通常グレートレングス管同士を接続するため、又は、グレートレングス管とスリーブを共に接続するために使われる。このように継手は一連のケースや管が形成されることを可能にする。
【誤訳訂正１２】
【訂正対象書類名】明細書
【訂正対象項目名】００１４
【訂正方法】変更
【訂正の内容】
【００１４】
この継手は、第２及び第３当接面が、長手方向に横切る平面に対して略一定の傾斜角度を有する円錐形の表面であり、第２外側面又は第３内側面のそれぞれに対して、第１リップの第１内側及び外側面の一つの第１半径方向干渉接続部を生成するために、第３当接面に対して第２当接面を押圧するように選択され、その後実行された塑性変形領域で管継手が直径を拡張する間、第１外側面及び第３内側面は第２シール干渉接続部として局部的に規定されるという事実により特定される。
【誤訳訂正１３】
【訂正対象書類名】明細書
【訂正対象項目名】００２６
【訂正方法】変更
【訂正の内容】
【００２６】
−第１管要素は、当初、第１外側面の範囲内で第１部分の前に、内部の方（第１部分の方）へ第１局部環状セットバックを規定する円錐形の面取り部を有する。この場合、面取り部は、約８°と約１２°の間の長手方向に対して略連続した傾斜を有する。
【誤訳訂正１４】
【訂正対象書類名】明細書
【訂正対象項目名】００２７
【訂正方法】変更
【訂正の内容】
【００２７】
−第１管要素は、第１部分の方向に第２当接面を延長する第４内側面の範囲に選択された局部に環状の厚みを加えた部分を有する第２部分で当初形成される。そして第３内側面は、選択された場所で、ネジ止め後に、局部に環状の厚みを加えた部分の略範囲内に配列されるのに適合した溝からなる。この場合、第１外側面は、直径の拡張後、少なくとも溝の形の部分を持ち、それに加えてシール干渉接触部にある環状肩部からなる。
【誤訳訂正１５】
【訂正対象書類名】明細書
【訂正対象項目名】００２８
【訂正方法】変更
【訂正の内容】
【００２８】
−第１管要素は、当初第１部分の範囲内に、雄ネジに対向するその内部表面にわたって、第２局部環状セットバックを規定する円錐形の頸部を有する。この場合、頸部は、当初約２°と約２０°の間の長手方向に対して略連続したスロープになる。
【誤訳訂正１６】
【訂正対象書類名】明細書
【訂正対象項目名】００２９
【訂正方法】変更
【訂正の内容】
【００２９】
−溝は、当初、略円筒形の中央部分によって分けることが可能である少なくとも二つの曲面の部分からなり、この場合、この部分は、当初、例えば約２ｍｍと約２０ｍｍの間で、略同一の曲率半径を有する。溝の底部での材料断面積が前記第１及び第２管要素が結合される管の共通部分の最小断面積と継手効率との積より大きくなるように選択される最大値を有する半径方向の深さを持つ。用語“管の共通部分” はその二つの端部から遠い中央部分を示し、略一定の直径を有する。
【誤訳訂正１７】
【訂正対象書類名】明細書
【訂正対象項目名】００３１
【訂正方法】変更
【訂正の内容】
【００３１】
−前記第２管要素は、略対称的な雌／雌型の接続スリーブと、前記第１管要素のグレートレングス管の端部とを関連づける。スリーブは、二つの第２管要素によって各側に延出され、当初、環状領域の範囲内でスリーブ（Ｍ）の当初断面積が、第１管要素の端部に形成された管の共通部分の断面積と継手効率との積より大きく、又は等しくなるように選択される厚みの減少した部分を有する環状領域の外側面を形成する中央部分からなる。
【誤訳訂正１８】
【訂正対象書類名】明細書
【訂正対象項目名】００３９
【訂正方法】変更
【訂正の内容】
【００３９】
前述の拡張管継手に基づいたこの方法は、■）第１リップが環状凹部に収まり、第２外側面又は第３内
エラー 1 : 特許庁規定外文字があったので■に置き換えました。
側面の各々に対して第１リップの第１内側及び外側面の一つを、第１半径方向シール干渉接触部を形成することによってシールする方法で、半径方向にきつく締まるように、第２当接面が第３当接面に対して静止するまで第１及び第２管要素をネジ止めし、■）軸方向に移動可能な拡張ツールによって、第１外側面
エラー 2 : 特許庁規定外文字があったので■に置き換えました。
と第３内側面を局部的に第２シール干渉接触部に規定させるために、拡張管継手を、塑性変形範囲内で直径拡張することからなる。
【誤訳訂正１９】
【訂正対象書類名】明細書
【訂正対象項目名】００４５
【訂正方法】変更
【訂正の内容】
【００４５】
図１は長手方向の断面で、本発明による拡張可能なネジ継手の形態の部分を示す図表である。
【誤訳訂正２０】
【訂正対象書類名】明細書
【訂正対象項目名】００４６
【訂正方法】変更
【訂正の内容】
【００４６】
図２は長手方向の断面で、ネジ止め及び拡張前の、雌円錐形ネジと、それに合致する雄円錐形ネジの部分を示す図表である。
【誤訳訂正２１】
【訂正対象書類名】明細書
【訂正対象項目名】００４７
【訂正方法】変更
【訂正の内容】
【００４７】
図３は長手方向の断面で、図１の拡張可能なネジ継手の第１管の雄端部分を示す図表である。
【誤訳訂正２２】
【訂正対象書類名】明細書
【訂正対象項目名】００４８
【訂正方法】変更
【訂正の内容】
【００４８】
図４は長手方向の断面で、図１の拡張可能なネジ継手の第２管の雌端部分を示す図表である。
【誤訳訂正２３】
【訂正対象書類名】明細書
【訂正対象項目名】００４９
【訂正方法】変更
【訂正の内容】
【００４９】
図５は長手方向の断面で、最初のネジ止めステップの間に図３及び図４の雄及び雌の管先端に生成された力を示す図表である。
【誤訳訂正２４】
【訂正対象書類名】明細書
【訂正対象項目名】００５０
【訂正方法】変更
【訂正の内容】
【００５０】
図６は長手方向の断面で、第２のネジ止めステップの間に図３及び図４の雄及び雌の管端部に生成された力を示す図表である。
【誤訳訂正２５】
【訂正対象書類名】明細書
【訂正対象項目名】００５１
【訂正方法】変更
【訂正の内容】
【００５１】
図７は長手方向の断面で、塑性変形による拡張段階の間に図３及び図４の雄及び雌の管端部に生成された力を示す図表である。
【誤訳訂正２６】
【訂正対象書類名】明細書
【訂正対象項目名】００５２
【訂正方法】変更
【訂正の内容】
【００５２】
図８は長手方向の断面で、拡張ステップ後の図３及び図４の雄及び雌の管端部に起こった変形を示す図表である。
【誤訳訂正２７】
【訂正対象書類名】明細書
【訂正対象項目名】００５３
【訂正方法】変更
【訂正の内容】
【００５３】
図９は長手方向の断面で、本発明による対称的に配置された二つの拡張可能なネジ継手の組立部品の形態部分を示す図表である。
【誤訳訂正２８】
【訂正対象書類名】明細書
【訂正対象項目名】００５４
【訂正方法】変更
【訂正の内容】
【００５４】
図１０は長手方向の断面で、本発明による拡張可能なネジ継手の第１管の雄端部分の他の形態部分を示す図表である。
【誤訳訂正２９】
【訂正対象書類名】明細書
【訂正対象項目名】００５５
【訂正方法】変更
【訂正の内容】
【００５５】
図１１は長手方向の断面で、本発明による拡張可能なネジ継手の第２管の雌端部分の他の形態部分を示す図表である。
【誤訳訂正３０】
【訂正対象書類名】明細書
【訂正対象項目名】００５６
【訂正方法】変更
【訂正の内容】
【００５６】
図１２は長手方向の断面で、ネジ止め段階の後、図１０及び図１１の雄及び雌管端部分の位置関係を示す図表である。
【誤訳訂正３１】
【訂正対象書類名】明細書
【訂正対象項目名】００５９
【訂正方法】変更
【訂正の内容】
【００５９】
序説で記載されているように、本発明によるネジ管継手により、ケースや一連の管は、グレートレングス金属管を一緒に接続、又は他のグレートレングス管及びスリーブを一緒に接続することによって、形成される。
【誤訳訂正３２】
【訂正対象書類名】明細書
【訂正対象項目名】００６０
【訂正方法】変更
【訂正の内容】
【００６０】
本発明による継手の第１形態を説明するために、まず図１から図８を参照する。この例は、特に図１に部分的に記載されているように、継手は２つの管Ｔ１及びＴ２を接続させる。２つの管は、回転によって生成されるＸＸ軸を持ち、とても長い、すなわち数メートルの長さがあり、さらに特定すると、第１管Ｔ１の雄型端部ＥＭ（又は雄管要素）及び第２管Ｔ２の雌型端部ＥＦ（又は雌管要素）がある。図の形態で示されているように、管Ｔ１及びＴ２は、例えば、共通の部分を持ち、約１９３．６８ｍｍ（又は７  ５/８インチ）に等しい初期外部直径を有している。管の共通部分は二つの端部から離れた中間部分で、略一定の直径を有する。
【誤訳訂正３３】
【訂正対象書類名】明細書
【訂正対象項目名】００６６
【訂正方法】変更
【訂正の内容】
【００６６】
第２部分Ｐ２は管Ｔ１の端部で第１部分Ｐ１から延びている。図３で示すように、まず、当初略平面であり、管Ｔ１の長手方向Ａ（ＸＸに平行）に垂直である第１軸当接面ＳＢ１と、当初第１部分Ｐ１の方向へ第１軸当接面ＳＢ１に対し略垂直な様に延びており、管Ｔ１の内側の方へ（すなわち雄ネジＦＭの反対側へ）適応されている第１内側面ＳＩ１と、そして、第１部分Ｐ１の方へ第１軸当接面ＳＢ１を拡張しており、管Ｔ１の外側の方へ適応されている第１外側面ＳＥ１の１部分を構成している第１環状リップ（又は環状小片）Ｌ１からなる。雄要素ＥＭの第２部分Ｐ２の第１外側面ＳＥ１は雄ネジＦＭの範囲まで第１当接面ＳＢ１から拡張している。第２部分Ｐ２は、第１内側面ＳＩ１に拡張し、管Ｔ１内を循環している流体（又はガス）と接触するように少なくとも（４番目の）部分的に円筒形の内側面ＳＩ４によって拡張されている第２当接面ＳＢ２からもなる。第１軸当接面ＳＢ１、第１内側面ＳＩ１及び第２当接面ＳＢ２は、当業者が“雄リベート”と呼んでいるものに規定する。
【誤訳訂正３４】
【訂正対象書類名】明細書
【訂正対象項目名】００７０
【訂正方法】変更
【訂正の内容】
【００７０】
それは、当初略平面で管Ｔ２の長手方向Ａに垂直な第４軸当接面ＳＢ４と、管Ｔ２の内部の方へ向けられ、第４軸当接面ＳＢ４を第１部分Ｐ３の方へ拡張している部分的に円筒形の第３内側面ＳＩ３とからも構成される。以下に参照されるように、第３内側面ＳＩ３の一部は、第２外側面ＳＥ２と第４当接面ＳＢ４とともに、管Ｔ１及びＴ２をネジ止めしている間、それを受けられるように第１リップＬ１と合致している環状凹部（又は溝）ＬＯを規定する。
【誤訳訂正３５】
【訂正対象書類名】明細書
【訂正対象項目名】００７３
【訂正方法】変更
【訂正の内容】
【００７３】
環状溝Ｇ１は少なくとも第３内側面ＳＩ３の部分に規定される。好ましくは、最初に二つの曲線部分ＰＣ１及びＰＣ２によって各々の側に拡張された略円筒形の中間部分ＰＣを構成している。好ましくは、これらの曲線部分Ｃ１及びＣ２は、当初約２ｍｍと約２０ｍｍの間で湾曲の略一致した半径を有する。
【誤訳訂正３６】
【訂正対象書類名】明細書
【訂正対象項目名】００７４
【訂正方法】変更
【訂正の内容】
【００７４】
例えば、溝Ｇ１は、約２ｍｍに等しい軸の長さＰＲ’、約１ｍｍに等しい半径方向の深さＨ’、そして約５ｍｍに等しい曲率半径を有している曲線部分Ｃ１及びＣ２にわたって延びている中間部分ＰＣからなる。溝Ｇ１の半径方向の深さＨは、前記溝の対称平面ＰＳＧの領域で、通常管Ｔ２の厚みによって制限されており、その厚みはネジ継手の臨界断面積を計算するために使用される最小限の厚みよりも少なくてはならない。より特定すると、溝Ｇ１の底の材料の断面積は管Ｔ１又はＴ２の共通部分（又はもしそれらが異なる場合、これら二つの部分のより小さい方）の断面積と伸長下での継手の効率との積より大きいように、半径方向の深さＨ’の最大値は選択されている。ネジ要素の臨界断面積と管（Ｔ１、Ｔ２）の断面積の間の比率は、接続（又は継手）の効率を特徴づけ、そしてそれは管の断面積と共に、一連の管をデザインするための入力データの項目になる。
【誤訳訂正３７】
【訂正対象書類名】明細書
【訂正対象項目名】００７５
【訂正方法】変更
【訂正の内容】
【００７５】
この構成では、溝Ｇ１の対称平面ＰＳＧは、凹部（又は溝）ＬＯの底を規定している第４軸当接面ＳＢ４から選択された軸距離Ｄで配列されている。例えば、前述した値で、距離Ｄは約５．６１ｍｍに等しい。さらに、ネジ止め後、溝Ｇ１の中間部分ＰＣは、厚みを加えられた部分ＳＡ１に略対向して配置される。
【誤訳訂正３８】
【訂正対象書類名】明細書
【訂正対象項目名】００７８
【訂正方法】変更
【訂正の内容】
【００７８】
本発明によれば、第２当接面ＳＢ２と第３当接面ＳＢ３は、当初円錐形の表面をもっており、長手方向Ａと垂直に交わる面に比較して傾斜α４の略同一の角度に選択されている。この第１形態で、第２当接面ＳＢ２と第３当接面ＳＢ３の円錐形の面は各々凸部及び凹部である。
【誤訳訂正３９】
【訂正対象書類名】明細書
【訂正対象項目名】００７９
【訂正方法】変更
【訂正の内容】
【００７９】
好ましくは、図３及び図４で示されているように、第２当接面ＳＢ２及び第３当接面ＳＢ３は略同一の初期傾斜を有している。“略同一の傾斜”という語は、現在の文脈で、互いに等しい傾斜で、約±５°以内のことを示す。この一般的な傾斜は約＋５°の角度α４と約＋３０°の角度α４の間が好ましい。さらに約１０°とほぼ同等がより好ましい。
【誤訳訂正４０】
【訂正対象書類名】明細書
【訂正対象項目名】００８７
【訂正方法】変更
【訂正の内容】
【００８７】
第４ステップでは、最大直径が管Ｔ１とＴ２の初期内部直径ＤＩ（図１で示されている内部半径ＲＩの二倍と同等）よりも大きく、そしてその最終内部直径に略同等となるように、例えば円錐形の頭部をもつボールのような直径拡張ツールが、管Ｔ１とＴ２の一つに軸の方向に導入される。導入の方向の選択は実際上の重要性はない。ボールはそれゆえに雄端部ＥＭから、雌端部ＥＦの方へ軸方向に移動される（又は逆でも良い）。
【誤訳訂正４１】
【訂正対象書類名】明細書
【訂正対象項目名】００９０
【訂正方法】変更
【訂正の内容】
【００９０】
直径の拡張は塑性変形範囲で生じる。生成された塑性変形が管要素の降伏点を増加するとき、このような変形に耐えることのできる金属が使用されなければならない。例えば最初に降伏点３１０ＭＰＡ（４５ＫＳＩ）を有している管に対して、拡張後にこの点は３８０ＭＰａ（５５ＫＳＩ）に増加する。
【誤訳訂正４２】
【訂正対象書類名】明細書
【訂正対象項目名】００９４
【訂正方法】変更
【訂正の内容】
【００９４】
肩部ＥＰ及びシールは、第４内側面ＳＩ４の領域及び第２当接面ＳＢ２の付近で、管Ｔ１の内部方向に局部的に環状の厚みを加えられた部分ＳＡ１の存在によって補強される。好ましくは、図３、図５から図７に示されているように、この厚みを加えられた部分ＳＡ１は、溝Ｇ１の中間部分ＰＣの拡張領域で略一定であり、それから減少される。この減少は第１部分Ｐ１の方向に略続けられることが好ましい。それは、例えば、約５°と約３０°の間の長手方向Ａと比較した角度α９で生じる。さらに好ましいのは、約１０°と約２０°の間で、約１２°と同等がより好ましい。
【誤訳訂正４３】
【訂正対象書類名】明細書
【訂正対象項目名】００９６
【訂正方法】変更
【訂正の内容】
【００９６】
この厚みを加えられた部分ＳＡ１が、溝Ｇ１の空間を満たし、それに応じて第１リップ及び前記第１リップの少し前に位置する領域に少なくとも前記溝Ｇ１の一部の形を引き受けるための過剰な材料を提供する。そしてそれによってほぼ要求された変形をする。
【誤訳訂正４４】
【訂正対象書類名】明細書
【訂正対象項目名】０１０３
【訂正方法】変更
【訂正の内容】
【０１０３】
第１リップの曲率をさらに促進するため、そして、肩またはかかと部ＥＰと溝Ｇ１の間の接触をさらに補強するために、図３及び図５から図７で示されるように、第１外側面ＳＥ１と第１部分Ｐ１の前の範囲内で、管Ｔ１の内部に向かってのセットバックＤＣ１が生成される。このセットバックＤＣ１は略連続することが好ましい。このように、まず円錐形の面取り部を形成する。それは、例えば、角度α６で長手方向Ａと比較して約８°と約１２°の間である。さらに約１０°と同等が好ましい。例えば、このセットバックＤＣ１は第１軸当接面ＳＢ１（長手方向Ａで）から約７．８ｍｍ離れて始まる。
【誤訳訂正４５】
【訂正対象書類名】明細書
【訂正対象項目名】０１０６
【訂正方法】変更
【訂正の内容】
【０１０６】
管Ｔ１におけるボールの進行を妨げないために、頸部は好ましくは略連続的であり、角度α７は約２°と約２０°の間が好ましく、さらに好ましいのは約５°である。
【誤訳訂正４６】
【訂正対象書類名】明細書
【訂正対象項目名】０１０８
【訂正方法】変更
【訂正の内容】
【０１０８】
この接近は、第２リップＬ２の第２内部面ＳＩ２の範囲内と第３当接面ＳＢ３の近辺で、管Ｔ２の内部方向にある局部的に環状に厚みを加えられた部分ＳＡ２の存在によって強調されるかもしれない。好ましくは、図４乃至図７に示されているように、この厚みを加えられた部分ＳＡ２は、第２リップＬ２の拡張ゾーンで略一定であり、それから減少される。この減少は略連続することが好ましい。このように、それは、当初円錐形の面取り部を形成する。それは、例えば、長手方向Ａに対して、約８°と約１２°の間の角度α８であり、さらに好ましいのは約１０°である。
【誤訳訂正４７】
【訂正対象書類名】明細書
【訂正対象項目名】０１１１
【訂正方法】変更
【訂正の内容】
【０１１１】
ボールの通過後にネジ継手の要素のはね返り移動は、問題となる塑性変形と比較してごくわずかであることに気づくことも重要である。
【誤訳訂正４８】
【訂正対象書類名】明細書
【訂正対象項目名】０１１２
【訂正方法】変更
【訂正の内容】
【０１１２】
本発明による、対称的に配置された、２つの継手の組立の形態を説明するために、図９を参照する。この例では、２つの継手により、２つのグレートレングス管Ｔ１及びＴ２が接続スリーブ型管要素Ｍによって接続される。このスリーブＭは、この場合、管１及び管２の長手方向Ａに垂直に交わる対称平面ＰＳＭに対して対称的な形状である。これはまた雌/雌タイプでもある。
【誤訳訂正４９】
【訂正対象書類名】明細書
【訂正対象項目名】０１１５
【訂正方法】変更
【訂正の内容】
【０１１５】
この三日月形Ｇ２により、スリーブＭの厚みがその最大厚み部分で減少され、それによって、拡張圧力及び力が減少される。また、拡張後（回転によって生成された外側面で）略直線の外観で同時に継手を供給している間、変形により、様々な当接面（ＳＢ１からＳＢ４）及び支持面の範囲で上手くコントロールされる。それによって、対称平面ＰＳＭの範囲内でのスリーブＭの断面積は、第１管要素の端部に形成された管の共通部分の断面積と継手効率との積より大きく、又は等しくなるように選択されなければならない。
【誤訳訂正５０】
【訂正対象書類名】明細書
【訂正対象項目名】０１１６
【訂正方法】変更
【訂正の内容】
【０１１６】
三日月形は略２つの向かい合った第２リップＬ２の２つの第３軸当接面ＳＢ３の間に拡張しているのが好ましい。しかしながら、それは、特に、２つの雌ネジの最後のネジ山の間で、より遠い距離にわたって拡張するかもしれない。最後のネジ山は、この場合、第３当接面ＳＢ３の側である。
【誤訳訂正５１】
【訂正対象書類名】明細書
【訂正対象項目名】０１２０
【訂正方法】変更
【訂正の内容】
【０１２０】
この形態は図１乃至図８を参照して上記に記載されたものに対して多数の類似点を有している。従って、共通要素は同一の参照番号によって示される。さらに、形状が略同一の部材及び略同一の機能の動作については再度記述はしない。
【誤訳訂正５２】
【訂正対象書類名】明細書
【訂正対象項目名】０１２１
【訂正方法】変更
【訂正の内容】
【０１２１】
さらに、この形態は、前の形態のように、回転によって生成される軸ＸＸを有する第１グレートレングス管Ｔ１の雄型端部ＥＭ（又は雄管要素）と、回転によって生成される軸ＸＸを有する第２グレートレングス管Ｔ２の雌型端部ＥＦ（又は雌管要素）との接続だけを可能にするのではなく、図９を参照して上述した２つの対称的に配列した継手の結合と、接続スリーブ型管要素Ｍによる２つのグレートレングス管Ｔ１とＴ２の接続も可能にする継手に関する。
【誤訳訂正５３】
【訂正対象書類名】明細書
【訂正対象項目名】０１２３
【訂正方法】変更
【訂正の内容】
【０１２３】
第２当接面ＳＢ２及び第３当接面ＳＢ３は、長手方向Ａに垂直な面に対して傾斜α４の略同一の選択された角度を有している円錐形の面を最初から有する。しかしながら、この第２形態では、第２当接面ＳＢ２と第３当接面ＳＢ３の円錐形面は、それぞれ凹面および凸面である。
【誤訳訂正５４】
【訂正対象書類名】明細書
【訂正対象項目名】０１２５
【訂正方法】変更
【訂正の内容】
【０１２５】
好ましくは、図１０乃至図１２に示されているように、第２当接面ＳＢ２及び第３当接面ＳＢ３は、略同一の初期傾斜を有している。この一般的な傾斜は、約＋５°の角度α４と約３０°の角度α４の間が好ましい。さらに好ましいのは、約１０°である。
【誤訳訂正５５】
【訂正対象書類名】明細書
【訂正対象項目名】０１４２
【訂正方法】変更
【訂正の内容】
【０１４２】
さらに加えて、前述の形態のように、第１リップＬ１の湾曲を促進し、肩部又はかかと部ＥＰと溝Ｇ１の間の接触を補強するために、第１外側面ＳＥ１は、第１部分Ｐ１のちょうど前に、管Ｔ１の内部の方へ好ましくは略連続した第１セットバックＤＣ１を構成する。この第１セットバックＤＣ１は当初円錐形の面取り部を形成し、約８°と約１２°の間、更に好ましいのは約１０°の長手方向Ａに対する角度α６を有している。例えば、このセットバックＤＣ１は約８．１ｍｍ（長手方向Ａで）第１軸当接面ＳＢ１から離れた所で始まる。
【誤訳訂正５６】
【訂正対象書類名】明細書
【訂正対象項目名】０１４３
【訂正方法】変更
【訂正の内容】
【０１４３】
又前述の形態のように、第４内側面ＳＩ４は、管Ｔ１の内部の方向で、第２当接面ＳＢ２の付近に、局部的に環状の厚みを加えられた部分ＳＡ１を構成する。好ましくは、図１０及び図１２に示されているように、この厚みを加えられた部分ＳＡ１は、溝Ｇ１の中央部分ＰＣの拡張ゾーンで略一定であり、それから、好ましくは略連続して、第１部分Ｐ１の方向へ減少する。これは、例えば、約５°と約３０°の間、さらに好ましいのは約１０°と約２０°の間、そしてさらに好ましいのは１２°の長手方向Ａに対する角度α９である。
【誤訳訂正５７】
【訂正対象書類名】明細書
【訂正対象項目名】０１４４
【訂正方法】変更
【訂正の内容】
【０１４４】
同様に、第２リップＬ２の第５内側面ＳＩ５は、前述の形態のように、第３当接面の付近で、管Ｔ２の内部の方向に局部的に環状の厚みを加えられた部分ＳＡ２を構成する。好ましくは、図１１及び図１２に示されているように、この厚みを加えられた部分ＳＡ２は、第２リップＬ２の拡張ゾーンで略一定であり、それから好ましくは略連続して減少する。このように当初円錐形の面取り部を形成する。それは、例えば、約８°と約１２°の間、さらに好ましいのは約１０°の長手方向Ａに対する角度α８である。この厚みを加えられた部分ＳＡ２は、好ましくは厚みを加えられた部分ＳＡ１に依存し、前述の厚みを加えられた部分ＳＡ１より少ないのが好ましい。例えば、この厚みを加えられた部分ＳＡ２は約０．３ｍｍと約０．８ｍｍの間で、さらに好ましいのは約０．５ｍｍである。
【誤訳訂正５８】
【訂正対象書類名】明細書
【訂正対象項目名】０１４５
【訂正方法】変更
【訂正の内容】
【０１４５】
図１０乃至図１２を参照して上述したタイプの拡張可能な継手から拡張継手の形成は、図５〜８を参照して記載されたそれと略同一である。
【誤訳訂正５９】
【訂正対象書類名】明細書
【訂正対象項目名】０１５１
【訂正方法】変更
【訂正の内容】
【０１５１】
管Ｔ１及びＴ２のひとつに、例えば、円錐形のヘッドボールのような直径拡張ツールの軸方向への導入によって塑性変形範囲で継手の直径の拡張からなる第４ステップは、上述されていることと同一である。
【誤訳訂正６０】
【訂正対象書類名】明細書
【訂正対象項目名】０１５３
【訂正方法】変更
【訂正の内容】
【０１５３】
第１管要素ＥＭが第１シール面ＤＣ３を構成し、可能であれば第２管要素ＥＦが第２シール面ＤＣ４を構成した場合、継手部品の上流及び下流側間のシール仕事における隙間は、第４ステップが完了されると略減少される。これは下流側の接触圧を害することなく、上流側の接触圧に増加をもたらす。
【誤訳訂正６１】
【訂正対象書類名】明細書
【訂正対象項目名】０１５９
【訂正方法】変更
【訂正の内容】
【０１５９】
【図１】長手方向の断面で、本発明による拡張可能なネジ継手の形態の部分を示す図表である。
【図２】長手方向の断面で、ネジ止め及び拡張前の、雌円錐形ネジと、それに合致する雄円錐形ネジの部分を示す図表である。
【図３】長手方向の断面で、図１の拡張可能なネジ継手の第１管の雄端部分を示す図表である。
【図４】長手方向の断面で、図１の拡張可能なネジ継手の第２管の雌端部分を示す図表である。
【図５】長手方向の断面で、最初のネジ止めステップの間に図３及び図４の雄及び雌の管先端に生成された力を示す図表である
【図６】長手方向の断面で、第２のネジ止めステップの間に図３及び図４の雄及び雌の管端部に生成された力を示す図表である。
【図７】長手方向の断面で、プラスティック変形による拡張段階の間に図３及び図４の雄及び雌の管端部に生成された力を示す図表である。
【図８】長手方向の断面で、拡張ステップ後の図３及び図４の雄及び雌の管端部に起こった変形を示す図表である。
【図９】長手方向の断面で、本発明による対称的に配置された二つの拡張可能なネジ継手の組立部品の形態部分を示す図表である。
【図１０】長手方向の断面で、本発明による拡張可能なネジ継手の第１管の雄端部分の他の形態部分を示す図表である。
【図１１】長手方向の断面で、本発明による拡張可能なネジ継手の第２管の雌端部分の他の形態部分を示す図表である。
【図１２】長手方向の断面で、ネジ止め段階の後、図１０及び図１１の雄及び雌管端部分の位置関係を示す図表である。